(57)【要約】【課題】ＣＡＴＶシステムの上り帯域である１０ＭＨｚから５５ＭＨｚの帯域のレベル測定をする場合，高価で重量のあるスペクトラムスアナライザの代わりに使用できる放送信号測定装置を提供するとともに，ＣＡＴＶシステムの上り帯域の測定で，安価な信号発生器の使用を可能にして測定に必要な機器のコストを下げる。【解決手段】放送信号測定装置は，１０ＭＨｚから５５ＭＨｚの帯域の中の信号の大きさを測定する上り信号測定回路を備え，１０ＭＨｚから５５ＭＨｚの帯域の信号の大きさを測定する操作の選択に連動して，測定帯域幅を自動的に７０ＭＨｚから７７０ＭＨｚの帯域の測定をするときのときの測定帯域幅より広く設定する。【選択図】  図１
2005295269.tif 000002
【特許請求の範囲】
【請求項１】
信号の大きさを測定する放送信号測定装置において，１０ＭＨｚから５５ＭＨｚの帯域の信号の大きさを測定する手段を有する放送信号測定装置。
【請求項２】
１０ＭＨｚから５５ＭＨｚの帯域の測定をするときの測定帯域幅が，７０ＭＨｚから７７０ＭＨｚの帯域の測定をするときのときの測定帯域幅より広いことを特徴とする請求項１に示す放送信号測定装置。
【発明の詳細な説明】
【技術分野】
【０００１】
本発明は，主に放送信号の測定に利用される測定装置に関し，詳しくはＣＡＴＶシステムの上りの周波数帯域の信号を測定するための測定回路に関する。
【背景技術】
【０００２】
従来はＣＡＴＶシステムの上り帯域である１０ＭＨｚから５５ＭＨｚの帯域のレベル測定をする場合，スペクトラムスアナライザを使用していた。
（例えば，特許文献１参照）
【０００３】
【特許文献１】特公平0７−７７４５１号公報
【発明の開示】
【発明が解決しようとする課題】
【０００４】
従来は，ＣＡＴＶシステムの上り帯域である１０ＭＨｚから５５ＭＨｚの帯域のレベル測定をする場合，大型で重量のあるスペクトラムスアナライザを使用していた。このため，電柱などの高い場所に設置されている増幅器のレベル測定をする場合，増幅器のそばにスペクトラムスアナライザを置いて，増幅器の上り信号モニター端子のレベルを見ながら増幅器のレベル調整をすることができないという問題が有った。
また，スペクトラムスアナライザは高価でかつ操作が複雑であるという問題もあった。
このような問題の対策として，スペクトラムスアナライザの代わりに放送信号測定装置を使用しているが，放送信号測定装置にはＣＡＴＶシステムの上り帯域である１０ＭＨｚから５５ＭＨｚの帯域の信号をを測定する手段が備えられていなかった。
【０００５】
放送信号測定装置に，ＣＡＴＶシステムの上り帯域である１０ＭＨｚから５５ＭＨｚの帯域の信号をを測定する手段を付加する場合，１０ＭＨｚから５５ＭＨｚの帯域と，放送で使用されるＶＨＦ及びＵＨＦの帯域である７０ＭＨｚから７７０ＭＨｚの帯域は同じ測定帯域幅にすれば構成が簡単になるが，次に示す問題がある。
ＶＨＦ帯やＵＨＦ帯の放送で用いられているＮＴＳＣ方式のテレビジョン信号の測定では，変調された信号から映像搬送波や音声搬送波のみを選択して測定する必要があるため，測定帯域幅は３００ＫＨｚから６００ＫＨｚ程度に選択されている。しかし，この測定帯域幅でＣＡＴＶシステムの上り帯域である１０ＭＨｚから５５ＭＨｚの帯域の測定をする場合，ＣＡＴＶシステムの上り帯域である１０ＭＨｚから５５ＭＨｚの帯域の測定に用いる信号発生器には，高い周波数精度（±３００ＫＨｚ以内）のものが要求される。
【０００６】
そこで本願においては，こうした問題点を解決するためになされたものであり
その目的は，
スペクトラムスアナライザを使用しなくても，ＣＡＴＶシステムの上り帯域である１０ＭＨｚから５５ＭＨｚの帯域の信号の大きさを測定できる放送信号測定装置を提供することを課題とする。
【０００７】
他の目的は，
ＣＡＴＶシステムの上り帯域である１０ＭＨｚから５５ＭＨｚの帯域の信号を測定をする場合に，信号源に用いる信号発生器の周波数精度が高精度でない安価なものでも使用できるように，ＣＡＴＶシステムの上り帯域である１０ＭＨｚから５５ＭＨｚの帯域の測定をするときの測定帯域幅が，７０ＭＨｚから７７０ＭＨｚの帯域の測定をするときのときの測定帯域幅より広くした放送信号測定装置を提供することを課題とする。
【課題を解決するための手段】
【０００８】
上記課題を解決するために，請求項１の発明は，
信号の大きさを測定する放送信号測定装置において，１０ＭＨｚから５５ＭＨｚの帯域の信号の大きさを測定する上り信号処理回路を備えている。
【０００９】
上記課題を解決するために，請求項２の発明は，
１０ＭＨｚから５５ＭＨｚの帯域の測定を選択する操作に連動して，１０ＭＨｚから５５ＭＨｚの帯域の測定をするときの測定帯域幅が，７０ＭＨｚから７７０ＭＨｚの帯域の測定をするときのときの測定帯域幅より広い上り信号処理回路を備えている。
【発明の効果】
【００１０】
以上詳述したように，請求項１の発明によれば，
信号の大きさを測定する放送信号測定装置において，１０ＭＨｚから５５ＭＨｚの帯域の信号の大きさを測定する手段である上り信号処理回路を備えているので，
ＣＡＴＶシステムの上り信号のレベル測定をする場合，測定装置をスペクトラムスアナライザに比べて小型で軽量にできる。このため，高い場所に設置されている増幅器のレベル測定をする場合，増幅器のそばで，増幅器のレベルを見ながら一人で増幅器のレベル調整をすることが可能となる。
また，放送信号測定装置をスペクトラムスアナライザに比べて安価でかつ操作が簡単なものにできる。
【００１１】
請求項２の発明によれば，
ＣＡＴＶシステムの上り帯域である１０ＭＨｚから５５ＭＨｚの帯域の測定を選択する操作に連動して，測定帯域幅が７０ＭＨｚから７７０ＭＨｚの帯域の測定をするときのときの測定帯域幅より広く設定されるので，ＣＡＴＶシステムの上り帯域である１０ＭＨｚから５５ＭＨｚの帯域での測定をする場合に，信号源に用いる信号発生器の周波数精度が高精度でない安価なものでも使用できるので，測定に必要な機器のコストを下げることができる。
【発明を実施するための最良の形態】
【００１２】
以下に，本発明を具体化した実施形態の例を，図面を基に詳細に説明する。
【実施例１】
【００１３】
図１は本発明に係る放送信号測定装置１のブロックダイヤグラムである。
入力端子２に入力された信号は，広帯域の増幅器３で必要なレベルまで増幅され，測定帯域を切り換えるために設けた入力側切換スイッチ４に接続される。
入力側切換スイッチ４はそれぞれの周波数帯域の信号処理回路５に接続されている。信号処理回路５はそれぞれの周波数帯域を通過させる入力側バンドパスフィルター５１，周波数変換器５２，測定する周波数の帯域幅を決める出力側バンドパスフィルター５３とで構成される。
入力側バンドパスフィルター４は周波数変換器５２に不要な信号が入力されないようにするために設けられている。
周波数変換器５２は，入力された信号が，各出力側バンドパスフィルター５３の通過帯域の中心周波数で出力されるように制御部１０からコントロールされる。
出力側バンドパスフィルター５３は周波数変換器５２で変換された信号のうち，変調された信号の成分やノイズ成分を除去するためのものである。
信号処理回路５を経た信号は，出力側切換スイッチ６を介し，信号処理回路５の出力周波数帯域を増幅する増幅器７で必要なレベルに増幅され，検波器８に入力される。検波器８は入力された信号を振幅検波し，得られた検波電圧を表示部９へ出力する。表示部９ではその値を電界強度の値に変換し，表示のための処理をして，電界強度の値を表示する。
【００１４】
入力側切換スイッチ４と出力側切換スイッチ６は連動しており，これらの切換操作により，希望する測定周波数帯域に対応する信号処理回路５が選択される。実施例１では，１０ＭＨｚから５５ＭＨｚの帯域の信号処理回路５−１，７０ＭＨｚから２２２ＭＨｚの帯域の信号処理回路５−２，２２２ＭＨｚから７７０ＭＨｚの帯域の信号処理回路５−３の３つの信号処理回路５を備えている。
ＣＡＴＶシステムの上り帯域である１０ＭＨｚから５５ＭＨｚの帯域の信号処理回路５−１の出力側バンドパスフィルター５３−１の通過帯域幅は１ＭＨｚで，７０ＭＨｚから２２２ＭＨｚの帯域の出力側バンドパスフィルター５３−２の通過帯域幅６００ＫＨｚや２２２ＭＨｚから７７０ＭＨｚの帯域の出力側バンドパスフィルター５３−３の通過帯域幅６００ＫＨｚより広くなっている。
ＶＨＦ帯やＵＨＦ帯の放送で用いられているＮＴＳＣ方式のテレビジョン信号の測定では，変調された信号から映像搬送波や音声搬送波のみを選択測定する必要があるため，測定帯域幅は３００ＫＨｚから６００ＫＨｚ程度に選択されている。しかし，このような条件でＣＡＴＶシステムの上り帯域である１０ＭＨｚから５５ＭＨｚの帯域の測定をする場合，ＣＡＴＶシステムの上り帯域である１０ＭＨｚから５５ＭＨｚの帯域の測定に用いる信号発生器には，高い周波数精度（±３００ＫＨｚ以内）のものが要求される。
しかし，ＣＡＴＶシステムの設置，調整，点検の時に使用される信号発生器４０２は，必ずしも周波数精度の高いものでない場合もある。
【００１５】
図２はＣＡＴＶシステムの加入者端末４００から信号発生器４０２によりＣＡＴＶシステムの上り帯域である１０ＭＨｚから５５ＭＨｚの帯域の信号を挿入して，双方向増幅装置１００の上り信号モニタ端子１０９に放送信号測定装置１を接続してレベル測定をする場合のブロックダイヤグラムの一例である。
ここで使用している放送信号測定装置１の上り帯域である１０ＭＨｚから５５ＭＨｚの帯域の信号処理回路５−１の出力側バンドパスフィルター５３−１の測定帯域幅を１ＭＨｚとすると，信号発生器４０２の周波数精度は中心周波数に対して上下に５００ＫＨｚずれても測定可能となるので，小型で安価な信号発生器４０２を使用することができる。
なお，放送信号測定装置１の上り帯域である１０ＭＨｚから５５ＭＨｚの帯域の信号処理回路５−１の出力側バンドパスフィルター測定帯域幅が６００ＫＨｚの場合は，信号発生器４０２の周波数精度は中心周波数に対して上下に３００ＫＨｚ以内の偏差に収めないと測定ができなくなるため，高い周波数精度の信号発生器４０２が要求される。
また，ＣＡＴＶシステムの上り帯域である１０ＭＨｚから５５ＭＨｚの帯域の測定に使用される信号発生器４０２の信号は，通常は変調をかけないので，ＶＨＦ帯やＵＨＦ帯の放送で用いられているＮＴＳＣ方式のテレビジョン信号を測定する場合のように，変調された信号から映像搬送波や音声搬送波のみを選択して測定する必要が無いので，測定帯域幅の上限はノイズの影響を受けにくいように考慮して１ＭＨｚとしている。
このように，放送信号測定装置１を構成することにより，ＣＡＴＶシステムの上り帯域である１０ＭＨｚから５５ＭＨｚの帯域の測定に使用される信号発生器４０２の周波数精度が中心周波数に対して上下に５００ＫＨｚ以内の偏差ののものでも使用できる。
【００１６】
尚，本発明は上記実施の形態に限定されるものではなく，本発明の趣旨を逸脱しない範囲で各部の回路構成や測定帯域幅を適宜に変更して実施することも可能である。
例えば，７０ＭＨｚから７７０ＭＨｚの帯域の測定をするときの測定帯域幅は６００ＫＨｚに限らず，３００ＫＨｚ程度でも良いし，ＣＡＴＶシステムの上り帯域である１０ＭＨｚから５５ＭＨｚの帯域の測定をするときの測定帯域幅は１ＭＨｚに限らず，２ＭＨｚ程度でも良い。
また，測定する周波数の帯域を増やすために，信号処理回路５を増設し，それに合わせて入力側切換スイッチ４，出力側切換スイッチ６を変更しても良い。更に，入力端子の信号を分配して新たな増幅回路や信号処理回路，検波器等を設けても良い。
更に，衛星放送信号を受信する衛星アンテナから送られた信号を測定する場合に，衛星アンテナへ電源を供給するための電源供給回路を設けても良い。
【図面の簡単な説明】
【００１７】
【図１】本発明に係る放送信号の測定装置１のブロックダイヤの１例を示す。
【図２】本発明に係る放送信号の測定装置１００を用いた測定の１例を示す。
【符号の説明】
【００１８】
１…放送信号測定装置，２…入力端子，３…増幅器，４…入力側切換スイッチ，５…信号処理回路，５−１…１０ＭＨｚから５５ＭＨｚの信号処理回路，５−２…７０ＭＨｚから２２２ＭＨｚの信号処理回路，５−３…４７０ＭＨｚから７７０ＭＨｚの信号処理回路，６…出力側切換スイッチ，７…増幅器，８…検波器，９…表示部，１０…制御部，５１…入力側バンドパスフィルター，５２…周波数変換器，５３…出力側バンドパスフィルター，１００…双方向増幅装置，１０９…上り信号モニタ端子，４００…加入者端末。
【図１】
2005295269.tif 000003
【図２】
2005295269.tif 000004